(57)【要約】      （修正有）【課題】檜等の木材の芳香、抗菌機能を効率よく引き出し、芳香、抗菌力と芳香・抗菌機能の持続性に優れた芳香・抗菌材を提供する。【解決手段】芳香、抗菌材は，本体部の底部から本体部１の木質部５へ少なくとも底部２側の切り込みを形成した。また底部側の切り込みが本体部の頂部側の外面７へ達している。そして底部側の切り込みを本体部の底部２と頂部側の外面７との間に形成された貫通部６ａとし、また貫通部６ａに間隙性を有する木片集合物１０が充填される。底部側の切り込みに接触する水が本体部の木質部５に浸透する。底部側で貫通部の下端開口４ａに接触する水が貫通部の内周面１１ａに沿って貫通部の下端開口４ａから頂部側で外気に接触する貫通部の上端開口４ｂへ浸透する。【選択図】図９
0003195268.tif 000002
【実用新案登録請求の範囲】
【請求項１】
本体部の底部から本体部の木質部へ少なくとも底部側の切り込みを形成した芳香、抗菌材。
【請求項２】
本体部の底部から本体部の木質部へ底部側の切り込みを形成し、前記底部側の切り込みが本体部の頂部側の外面へ達している芳香、抗菌材。
【請求項３】
前記底部側の切り込みが本体部の底部と頂部側の外面との間に形成された貫通部である請求項２に記記載の芳香、抗菌材。
【請求項４】
前記貫通部に間隙性を有する木片集合物が充填される請求項３に記載の芳香、抗菌材。
【請求項５】
前記木片集合物が柔軟性を有する収容部に収容される請求項４に記載の芳香、抗菌材。
【請求項６】
前記本体部の底部から本体部の木質部へ形成された底部側の切り込みにおいて、底部側の切り込みに接触する水が本体部の木質部に浸透する請求項１又は２に記載の芳香、抗菌材。
【請求項７】
前記本体部の底部と頂部側の外面との間に形成された貫通部において、底部側で貫通部の下端開口に接触する水が貫通部の内周面に沿って貫通部の下端開口から頂部側で外気に接触する貫通部の上端開口へ浸透する請求項３に記載の芳香、抗菌材。
【請求項８】
前記貫通部に充填された間隙性を有する木片集合物において、底部側で木片集合物の下部に接触する水が木片集合物の下部から頂部側で外気に接触する木片集合物の上部へ浸透する請求項４に記載の芳香、抗菌材。
【請求項９】
前記貫通部は上端開口、下端開口の少なくともいずれか一方が拡径口である請求項７又は８に記載の芳香、抗菌材。
【考案の詳細な説明】
【考案の詳細な説明】
【技術分野】
【０００１】  本考案は芳香、抗菌材、特に木製の芳香、抗菌材に関する。
【背景技術】
【０００２】  檜等の木材はフィトンチッド、ヒノキチオール等の成分を含み、芳香、抗菌の機能がある。このような木材の芳香、抗菌の機能を利用した芳香、抗菌材が開発されている。この種製品の重要なポイントに芳香力、抗菌力の強さ及び芳香、抗菌機能の持続性を挙げることができる。例えば、総檜造りの家屋では建築材料として使用される多量の檜材が発する芳香力、抗菌力は相当に強く、また芳香、抗菌機能の持続性もある。しかし通常の芳香、抗菌材では材料である木材の使用量は多くないから、芳香力、抗菌力と芳香、抗菌機能の持続性に問題が残る。
【先行技術文献】
【特許文献】
【０００３】
【特許文献１】特許公開公報特開平１１−３６１２１
【考案の概要】
【考案が解決しようとする課題】
【０００４】  本考案が解決しようとする課題は、檜等の木材の芳香、抗菌機能を効率よく引き出し、芳香、抗菌力と芳香、抗菌機能の持続性に優れた芳香、抗菌材を提供することにある。
【課題を解決するための手段】
【０００５】  上記課題を解決するため、本考案に係る芳香、抗菌材は，本体部の底部から本体部の木質部へ少なくとも底部側の切り込みを形成した。また本体部の底部から本体部の木質部へ底部側の切り込みを形成し、底部側の切り込みが本体部の頂部側の外面へ達している。そして底部側の切り込み本体部の底部と頂部側の外面との間に形成された貫通部とすることができる。【０００６】  また貫通部に間隙性を有する木片集合物が充填される。そして木片集合物は柔軟性の収容部に収容することができる。また本体部の底部から本体部の木質部へ形成された底部側の切り込みにおいて、底部側の切り込みに接触する水が本体部の木質部に浸透する。【０００７】  本体部の底部と頂部側の外面との間に形成された貫通部において、底部側で貫通部の下端開口に接触する水が貫通部の内周面に沿って貫通部の下端開口から頂部側で外気に接触する貫通部の上端開口へ浸透する。また貫通部に充填された間隙性を有する木片集合物において、底部側で木片集合物の下部に接触する水が木片集合物の下部から頂部側で外気に接触する木片集合物の上部へ浸透する。貫通部は上端開口、下端開口の少なくともいずれか一方を拡径口とすることができる。
【考案の効果】
【０００８】一般に時間の経過とともに木材（檜材）の表面から放散される芳香等（芳香と抗菌を含む、以下同様）が徐々に弱くなる。このような場合、檜材等の表面を削りその木質部を新しい表面として露出させ、芳香等を回復する方法が知られている。しかし本件発明は本体部の外面（表面）を削る等の手段を採用しない。即ち、本体部の底部から本体部の木質部へ少なくとも底部側の切り込みを形成し、本体部の外面と切込みの表面からも香等が放散され、芳香力等が強くかつ持続する。貫通部に間隙性を有する木片集合物が充填される構造では、貫通部の内周面だけでなく、貫通部内の木製小片集物からも芳香等が効果的に放散される。【０００９】  本体部の底部から本体部の木質部へ形成された底部側の切り込みにおいては、底部側の切り込みに接触する水が切り込みに浸透し、水の浸透した切り込みから木質部の芳香等が放散される。本体部の底部と頂部側の外面との間に形成された貫通部においては、貫通部の下端開口に接触する水が貫通部の内周面に沿って下端開口から外気に接触する上端開口へ浸透し、貫通部の内周面から芳香等が放散される。これは水の浸透により木質部の芳香等が効率よく外気に放散されるという知見に基づくものであり、強い芳香力等と持続性を有する。【００１０】  また貫通部に充填された間隙性を有する木片集合物においては、木片集合物の下部に接触する水が木片集合物の下部から外気に接触する木片集合物の上部へ浸透し、木片集合物から芳香等が外気に放散される。間隙性を有する木片集合物は水浸透性と保水性に優れ、木片集合物から芳香等が安定して放散される。
【図面の簡単な説明】
【００１１】
【図１】本考案に係る芳香材、抗菌材（以下「芳香材等」という）の斜視図である。
【図２】他の構造に係る同芳香材等の斜視図である。
【図３】図２の芳香材等の底面図である。
【図４】さらに他の構造に係る芳香材等の斜視図である。
【図５】図４の芳香材等の底面図である。
【図６】別の構造にかかる芳香材等の斜視図である。
【図７】図６の芳香材等の平面図である。
【図８】図６の芳香材等の正面図である。
【図９】図８の芳香材等の貫通部に充填された木片集合物を説明する正面図である。
【図１０】さらに別の構造にかかる同芳香材等の斜視図である。
【図１１】図１０の芳香材等の正面図である。
【図１２】図１０の芳香材等の貫通部に挿入された円柱状の収納部を説明する正面図である。
【図１３】貫通部に挿入前の収納部の正面図である。
【図１４】図１３の収納部の斜視図である。
【図１５】貫通部内の円柱状の収納部を説明する拡大平面図である。
【図１６】貫通部内で一方側（同図の下側）に押圧・圧縮された収納部を説明する拡大平面図である。
【考案を実施するための形態】
【００１２】本考案を実施するための形態につき図面を参照して説明する。本体部１は木製であり、フィトンチッド、ヒノキチオール等による芳香、抗菌（以下「芳香等」という）機能を有する。本体部１には檜材が最適であり、以下の実施例で本体部１は檜製である。本体部１は底部２と頂部３を有する直方体である。本体部は直方体に限らず、円柱形、四角錐、円球等でもよく、その全体形状や大きさは任意である（図示せず）。なお説明の都合上、本体部１の高さＨ（頂部３と底部２間の長さ）の中間線（Ｃ−Ｃ）を基準線として頂部３を含む側（図８における上側）を頂部側、底部２を含む側（図８における下側）を底部側とする。本体部１には底部２から本体部の木質部５へ底部側の切り込み６が形成されている。底部側の切り込み６は底部２から頂部３側へ直線状に延び、通常は複数個である。図では底部２に対して垂直方向の直線状の切り込み６（複数）が木質部５で互いに交差している。底部側の切り込みの形状、数、大きさ、長さは任意であり、また湾曲状でもよい（図示せず）。本体部１の頂部側に切り込み１２を形成してよく、この場合の頂部側の切り込み１２は底部２に達していない（図１参照）。
【００１３】  底部側の切り込み６は上端９が頂部側の外面７に達していないもの（図１、図２参照）と、上端が本体部の頂部側の外面７に達しているものがある。底部側の切り込み６の上端が頂部側の外面７に達していないものとして、本体部の底部２と頂部側の外面７との間に形成された貫通部６ａがある（図２、４、６等参照）。また他に本体部の側面部１５であって、本体部の底部２と頂部側の外面７との間に形成された溝６ｂがある。貫通部６ａの内径の大きさ（同径、異径を含む）、断面形状（円形、楕円形、角形、不定形）等は任意である。貫通部６ａは上端開口４ｂ、下端開口４ａのいずれか一方又は両者が拡径口とすることができる。図６乃至９１９では上端開口、下端開口はいずれも拡径口１９である。本体部２の外面と木質部の切込み６の表面からは芳香等が放散される。切り込み６により本体部の内部の木質部の芳香等が放散され、特に本体部１を貫通する貫通部６ａから本体部の深い部位の芳香等も放散される。上端開口４ｂ、下端開口４ａのいずれか一方又は両者が拡径口１９の構造では本体部（外面）と外気との接触面積が大きく、芳香等が有効に放散される。
【００１４】また他の構造において貫通部６ａには間隙性を有する木片集合物１０が充填される（図９、１２参照）。木片集合物１０は木材の切り屑、おが粉、おが屑、チップ、切粉、細小片、粉状物やその混合物であり、また他の素材を含んでもよい。間隙性を有するとは木片集合物１０の全体的な密度が本体部の木質部５より粗く、水浸透性が本体部（木質部５）より高いものをいう。木片集合物１０は檜で構成されるのが好ましい。間隙性の程度は任意に選択される。貫通部６ａに木片集合物１０を充填することにより、本体部１の外面と貫通部６ａの内周面１１ａだけでなく貫通部６内の木片集合物１０からも芳香等が発散される。貫通部６ａの上端開口５ｂ、下端開口５ａが拡径口の構造では、拡径口１９を含む貫通部６に木片集合物１０が充填される（図９参照）。拡径口１９のいずれか一方又は両者に木片集合物１０が充填され、拡径口１９に収容された木片集合物１０からも香等が放散される。
【００１５】木片集合物１０を貫通部６ａに充填する場合、上端開口の拡径口１９は木片集合物１０を貫通部６ａへの落とし込み案内としても機能する。例えば、容器２５の内側面２２に本体部１を配置し、下端開口４ａが一時的に塞がれた状態で、拡径口１９に一旦収容された木片集合物１０を上端開口４ｂから貫通部６ａに落とし込みながら挿入し、貫通部６ａに木片集合物１０を充填する。木片集合物１０の落とし込みには指先やヘラ、棒状の器具を使用する。また貫通部に充填された木片集合物１０には貫通部の延設方向（上端開口６ｂ側から下端開口６ａ側）へ指先、ヘラ等の器具で適宜に押圧して木片集合物１０の間隙性、つまり全体的な粗密度が調整される。拡径口１９の形成する凹部に一旦木片集合物１０を収容することから、貫通部６ａへの木片集合物１０の充填、貫通部６ａ内での木片集合物１０の押圧が容易である。これは貫通部６ａの内径が比較的小さい場合にも有効であり、木片集合物１０の粗密度の調整が確実となる。貫通部６ａ内で押圧された木片集合物１０はばらけが生じにくく、上・下端開口４ｂ、４ａ外に分散しにくい。木片集合物１０は一定期間の経過後に貫通部６ａから除去する一方、新たな木片集合物１０を貫通部６ａに充填し、これにより強い芳香等が容易に維持できる。なお木片集合物１０を貫通部６ａから除去する場合、棒状の器具等を使用するのが有効である。
【００１６】  また木片集合物１０は柔軟性を有する収容部１４に収容することができる。収容部１４は全体として変形可能な柔軟性があり、織物、紙、合成樹脂等、その素材の種類を問わない。収容部１４は袋状、ケース状等、その構造、形状は任意である。収容部１４に収納された木片集合物１０は全体が分散しないからその取り扱いが容易である。特に貫通部６ａに対する木片集合物１０の挿入と取り出し、貫通部６ａ内での木片集合物１０の押圧と粗密度の調整が容易である。収納部１４は水浸透性を有するのが好ましいが、これに限定されない（後述の説明参照）。
【００１７】  本体部１はさらに水と接触させることができる。本体部の底部２から本体部の木質部５へ底部側の切り込み６が形成された構造では、底部側の切り込み６と接触する水が本体部の木質部５に浸透する。本体部１は受け部に載置され、例えば、水８が収容された容器２５に載置され、底部２が容器の内側面２２に当接している（図１１等参照）。底部側の切り込み６は少なくともはその一部が水８と接触し、また本体部の頂部側の外面７も少なくともその一部が外気に接触している。本体部の木質部５はかなり硬質であり、本体部１と接触する水の木質部への浸透は緩慢又は困難である。本体部１が直方体のような塊状物の場合は水の浸透は容易に進行しないが、底部側の切り込み６と接触する水が本体部の木質部５に容易に浸透する。
【００１８】  まず底部側の切り込み６の上端９が頂部側の外面７に達していない構造においては、底部側の切り込み６と接触する水が本体部の木質部５から切り込みの上端９、つまり外気との接触部分へ浸透する（図１、２参照、但し容器は省略）。なお本体部の底部２側と接触する容器２５内の水８には本体部１から抗菌成分が溶け出し、抗菌機能がある。本体部１と水との接触の手段は容器に収容された水に限定されない。次に底部側の切り込み６の上端が頂部側の外面７に達している構造においては、同様に底部側の切り込み６と接触する水が本体部の木質部５から頂部側の外面７へ浸透する。このような底部側の切り込み６には本体部の側面部１５に穿設された溝６ｂ、本体部の木質内部を貫通する貫通部６ａがある。いずれも底部２と頂部側の外面７の間に形成される。
【００１９】  溝６ｂの場合、底部側で溝の下端開口４ａに接触する水が、溝の内側面１１ｂに沿い、下端開口４ａから頂部側で外気に接触する溝の上端開口４ｂへ浸透する。また貫通部６ａの場合、底部側で貫通部の下端開口４ａに接触する水が、貫通部の内周面１１ａに沿い、下端開口４ａから頂部側で外気に接触する貫通部の上端開口４ｂへ浸透する。いずれの場合も水の浸透した部分からは芳香等が直接に又は水の蒸発と共に放散される。特に貫通部６ａでは水の浸透が顕著であり、水は貫通部の内周面１１ａに容易に浸透し、頂部側の外面７で貫通部の上端開口４ｂの周辺域１３へと水が浸透する。本体部の大きさ等によっても異なるが、貫通部６ａの内径は通常１ｃｍ乃至３ｃｍ程度であるから、貫通部６ａでの迅速な水の浸透は毛細管現象と関係ない。なお貫通部の数、その内径の大きさは任意である。
【００２０】  次に貫通部６ａに木片集合物１０が充填される構造では、間隙性を有する木片集合物１０と接触する水が全体に容易に浸透する（図９参照）。即ち貫通部６ａ内の木片集合物１０において、底部側で木片集合物の下部１０ａに接触する水が木片集合物の下部１０ａから頂部側で外気に接触する木片集合物の上部１０ｂへ浸透する。頂部３側では水の浸透した木片集合物１０から芳香等が直接に又は水の蒸発と共に放散される。木片集合物１０は本体部（木質部５）より水浸透性のよく、木片集合物１０の水浸透性は木片集合物１０の間隙性、つまり全体の粗密度で調整される。即ち、前記のように、貫通部６ａ内の木片集合物１０を貫通部６ａの延設方向（上端開口４ｂ側から下端開口４ａ側）へ適宜に押圧してその調整を行う。粗さが過大では水浸透性が小さくなり、また密度が過大でも同様に水浸透性が小さくなる。粗密度の調整には貫通部６ａ内でおこなう木片集合物１０の押圧が有効である。
【００２１】  そして貫通部６ａにおいては、底部２側で貫通部の下端開口４ａに接触する水が貫通部の内周面１１ａに沿って、通部の下端開口４ａから頂部側で外気に接触する貫通部の上端開口４ｂへ浸透し、また底部２側で木片集合物の下部１０ａに接触する水が木片集合物の下部１０ａから頂部側で外気に接触する木片集合物の上部１０ｂへ浸透する。即ち、貫通部の内周面１１ａと木片集合物１０にそれぞれ水が浸透する一方、貫通部６ａ内で木片集合物１０と貫通部の内周面１１ａとの接触部分でも相互に水が浸透する。従って両者間で水の浸透度に差が生じると、一方から他方（貫通部の内周面から木片集合物又はその逆）へ水が浸透し、全体的に水の浸透が促進される。なお上端開口、下端開口における拡径口１９の両者又はその一方にも木片集合物１０を充填することができる。この場合、底部側の下端開口４ａでは拡径口１９内の木片集合物１０に水が容易に浸透し、また頂部側の上端開口４ｂでは拡径口１９内の木片集合物１０へ水が容易に浸透する。
【００２２】  また木片集合物１０は収容部１４に収容することができ、収容部１４を介して木片集合物１０が貫通部６ａに挿入して充填される。木片集合物１０に水が浸透する構造の場合、収容部１４は水浸透性とするのがよい。収容部１４は水浸透性を有する素材（縦糸と横糸を組み合わせた織物、紙、空隙を適度に調整した不織布等）で構成され、収容部１４に水浸透性が付与される。水浸透性を有する収容部１４の場合、貫通部６ａにおいて、底部側で貫通部の下端開口４ａに接触する水が、貫通部の内周面１１ａに沿って、貫通部の下端開口４ａから頂部側で外気に接触する貫通部の上端開口４ｂへ浸透する。また底部側で収容部の下部１４ａに接触する水が収容部１４の下部１４ａから頂部側で外気に接触する上部１４ｂへ浸透する。また底部側で収容部１４を介して木片集合物の下部１０ａに接触する水が木片集合物の下部１０ａから頂部側で外気に接触する木片集合物の上部１０ｂへ浸透する（図１２参照）。即ち、貫通部の内周面１１ａ、木片集合物１０、収容部１４にそれぞれ水が浸透するが、３者間で水の浸透度に差が生じたような場合、木片集合物１０、収容部１４、貫通部の内周面１１ａの各接触部分から相互に水が浸透し、全体に水の浸透が促進される。織物、布、紙のように水浸透性のよい収容部１４が貫通部の内周面１１ａと木片集合物１０との間に介在することにより水の浸透の効率が高まる。間隙性を有する木片集合物１０は水浸透性だけでなく保水性にも優れ、木片集合物１０から芳香等の放散が安定して継続する。
【００２３】  また収容部１４は適宜な柔軟性を有し、中空部に木片集合物１０が移動可能に収容された収容部１４は全体的形状が任意に変形可能である。例えば、収容部１４は多数の小間隙を有する柔軟性の合成樹脂製の不織布で構成された袋状であり、周縁２０を閉鎖する一方、内部（中空部）に木片集合物１０（檜おが粉等の集合物）が収容されている。中空部の容積は木片集合物１０の量（体積）より若干大きい。中空部の容積と木片集合物の量（体積）を調整し、収容部１４内での木片集合物１０の移動とそれに伴う収容部１４の変形度が調節される。そこで収容部１４を指先等で軽く押しながら収容部１４内の木片集合物１０を任意に移動するとともに収容部１４を適宜の形状に変形させ、貫通部のいずれかの開口（上・下端開口４ｂ、４ａのいずれかより貫通部６ａに挿入する。
【００２４】  木片集合物１０が収容された収容部１４は貫通部６ａ内で押圧が可能であり、貫通部６ａ内で収容部１４を適宜に押圧し、木片集合物１０の粗密度、つまり木片集合物１０の水浸透性が調整される。同時に片集合物１０を収容部１４とともに貫通部（内周面１１ａ）に対応して全体的形状を変形させ、収容部１４が介在する木片集合物１０と貫通部（内周面１１ａ）との接触度、接触面積を調整する。木片集合物１０、収容部１４、貫通部（内周面１１ａ）間で相互の接触度、接触面積が大きくなると全体に水浸透性がよくなる。相互の接触度、接触面積の調整は貫通部内の片集合物１０（収容部１４に収容）を一方側に押圧・圧縮しておこなう。例えば、収容部１４内のほぼ円柱状の木片集合物１０を貫通部６ａの延設方向に指先等で押圧し圧縮する（図１２、１５参照）。あるいは収容部１４内の木片集合物１０の側面１２を貫通部の内周面１１ａに向けて（貫通部６ａの延設方向と直交する方向に）押圧し圧縮する（図１６参照）。この調整は片集合物１０を構成する材料により異なり、これは片集合物１０の粗密度の調整の場合と同様である。なお貫通部６ａには１個の収容部１４だけでなく、複数個の小径の収容部を挿入してもよい（図示せず）。また貫通部６内の収容部１４は上・下端開口４ｂ、４ａから取り出し、他の収容部１４との取り替えが可能である。
【００２５】以上の構成では水浸透性と保水性に極めて良好で、浸透水の蒸発も効率的である。なお本体部は貫通部に花卉の茎部を挿入する花立てとして利用することもできる。前記のように、本体部と接触する容器内の水には抗菌機能があり、茎部下端が容器内の水に接触するところから切花等は枯れにくく長持ちする。
【符号の説明】
【００２６】１  本体部
２  底部
３  頂部
４ａ  貫通部、溝の下端開口
４ｂ  貫通部、溝の上端開口
５  本体部の木質部
６  底部側の切り込み
６ａ  貫通部
７  頂部側の外面
１０  木片集合物
１０ａ木片集合物の下部
１０ｂ  木片集合物の上部
１１ａ  貫通部の内周面
１４  収容部
【図１】
0003195268.tif 000003
【図２】
0003195268.tif 000004
【図３】
0003195268.tif 000005
【図４】
0003195268.tif 000006
【図５】
0003195268.tif 000007
【図６】
0003195268.tif 000008
【図７】
0003195268.tif 000009
【図８】
0003195268.tif 000010
【図９】
0003195268.tif 000011
【図１０】
0003195268.tif 000012
【図１１】
0003195268.tif 000013
【図１２】
0003195268.tif 000014
【図１３】
0003195268.tif 000015
【図１４】
0003195268.tif 000016
【図１５】
0003195268.tif 000017
【図１６】
0003195268.tif 000018
【手続補正書】
【提出日】平成26年10月11日(2014.10.11)
【手続補正１】
【補正対象書類名】実用新案登録請求の範囲
【補正対象項目名】請求項１
【補正方法】変更
【補正の内容】
【請求項１】
木質部を有する本体部を備えた芳香、抗菌材であって、本体部の底部から本体部の木質部へ少なくとも底部側の切り込みを形成した芳香、抗菌材。
【手続補正２】
【補正対象書類名】実用新案登録請求の範囲
【補正対象項目名】請求項２
【補正方法】変更
【補正の内容】
【請求項２】
木質部を有する本体部を備えた芳香、抗菌材であって、本体部の底部から本体部の木質部へ底部側の切り込みを形成し、前記底部側の切り込みが本体部の頂部側の外面へ達している芳香、抗菌材。
【手続補正３】
【補正対象書類名】明細書
【補正対象項目名】０００５
【補正方法】変更
【補正の内容】
【０００５】  上記課題を解決するため、本考案に係る芳香、抗菌材は、木質部を有する本体部を備えた芳香、抗菌材であって、本体部の底部から本体部の木質部へ少なくとも底部側の切り込みを形成した。また木質部を有する本体部を備えた芳香、抗菌材であって、本体部の底部から本体部の木質部へ底部側の切り込みを形成し、底部側の切り込みが本体部の頂部側の外面へ達している。そして底部側の切り込み本体部の底部と頂部側の外面との間に形成された貫通部とすることができる。